(57)【要約】【課題】捲り表示中の検査画像の周辺の視認性を低下させ、目だたないようにする。【解決手段】捲り表示前には、連続した４枚の検査画像Ｎ１〜Ｎ４が２行２列に並べて表示される。４枚表示中に、１枚の検査画像Ｎ２を指定して捲り表示を指示する。検査画像Ｎ２を捲り開始検査画像として、これに続く検査画像が検査画像列から取り出され、所定の速度でスクリーン２５ａに順次表示される。この捲り表示中には、検査画像Ｎ１、Ｎ３、Ｎ４は、輝度が低下された状態で静止している。捲り表示を停止すると、再び４枚表示に戻る。【選択図】図７
2010131224.tif 000002
【特許請求の範囲】
【請求項１】
表示手段に検査画像を表示する検査画像表示装置において、
検査画像列からＮ枚（少なくとも２枚以上）の検査画像を取り出し、前記表示手段に並べて同時に表示する第１の表示制御手段と、
捲り表示の実行を指示する捲り表示指示手段と、
捲り表示の実行が指示されたときに、前記Ｎ枚の検査画像の１つを捲り開始検査画像として、これに続く検査画像を前記検査画像列から取り出して、前記表示手段に順次表示する第２の表示制御手段と、
捲り表示中の検査画像の周辺を、前記捲り表示中の検査画像に比較し視認しにくい状態で前記表示手段に表示する視認性低下手段と、を備えたことを特徴とする検査画像表示装置。
【請求項２】
前記視認性低下手段は、前記周辺を前記捲り表示中の検査画像に比較し低輝度で表示することを特徴とする請求項１記載の検査画像表示装置。
【請求項３】
前記視認性低下手段は、前記周辺の少なくとも一部を覆うように、捲り表示中の検査画像を拡大表示することを特徴とする請求項１記載の検査画像表示装置。
【請求項４】
前記視認性低下手段は、前記周辺の少なくとも一部を覆うように、捲り表示中の検査画像を拡大表示するとともに、捲り表示中の検査画像の周辺を前記捲り表示中の検査画像に比較し低輝度で表示することを特徴とする請求項１記載の検査画像表示装置。
【請求項５】
同時に表示される前記N枚の検査画像および前記捲り表示中の検査画像は、前記検査画像列から連続して取り出されることを特徴とする請求項１ないし４いずれか記載の検査画像表示装置。
【請求項６】
同時に表示される前記Ｎ枚の検査画像は、前記検査画像列上で所定の間隔で取り出され、前記捲り表示中の検査画像は、前記検査画像列から連続して取り出されることを特徴とする請求項１ないし４いずれか記載の検査画像表示装置。
【請求項７】
前記第一の表示制御手段は、前記捲り表示が終了したときに、前記終了時点で表示されている検査画像を基準にして（Ｎ−１）枚の検査画像を前記検査画像列から取り出して前記表示手段に表示することを特徴とする請求項１ないし６いずれか記載の検査画像表示装置。
【請求項８】
前記捲り開始検査画像を指定する指定手段を備えたことを特徴とする請求項１ないし７いずれか記載の検査画像表示装置。
【請求項９】
前記Ｎは９であり、９枚の検査画像が３行３列に配列され、捲り表示の実行が指示されたときに、中央に位置する検査画像が捲り開始検査画像となることを特徴とする請求項１ないし７いずれか記載の検査画像表示装置。
【請求項１０】
前記第一の表示制御手段は、複数の検査画像列から、それぞれＮ枚の検査画像を取り出し、前記検査画像列毎に別けた状態で前記表示手段に同時に表示することを特徴とする請求項１ないし８記載の検査画像表示装置。
【請求項１１】
検査画像列から、Ｎ枚の検査画像を取り出し、表示手段に並べて同時に表示するステップと、
捲り表示の実行が指示されたときに、前記Ｎ枚の検査画像の１つを捲り開始検査画像として、これに続く検査画像を前記検査画像列から取り出して、前記表示手段に順次表示するステップと、
捲り表示中の検査画像の周辺を、前記捲り表示中の検査画像に比較し視認性が低下した状態で前記表示手段に表示するステップと、を備えたことを特徴とする検査画像表示方法。
【請求項１２】
検査画像列を格納したサーバと、通信網を介して接続された検査画像表示装置とからなる検査画像表示システムにおいて、
前記検査画像表示装置は、
表示手段と、
前記サーバから取り込んだ前記検査画像列から、Ｎ枚の検査画像を取り出し、前記表示手段に並べて同時に表示する第１の表示制御手段と、
捲り表示の実行を指示する捲り表示指示手段と、
捲り表示の実行が指示されたときに、前記Ｎ枚の検査画像の１つを捲り開始検査画像として、これに続く検査画像を前記検査画像列から取り出して、前記表示手段に順次表示する第２の表示制御手段と、
捲り表示中の検査画像の周辺を、前記捲り表示中の検査画像に比較し視認しにくい状態で前記表示手段に表示する視認性低下手段と、を備えたことを特徴とする検査画像表示システム。
【請求項１３】
画像記憶メモリに記憶された検査画像列から、Ｎ枚の検査画像を取り出し、表示手段に並べて同時に表示する機能と、
操作部からの捲り表示の実行指示を受け付ける機能と、
捲り表示の実行が指示されたときに、前記Ｎ枚の検査画像の１つを捲り開始検査画像として、これに続く検査画像を前記検査画像列から取り出し、前記表示手段に順次表示する機能と、
捲り表示中の検査画像の周辺を、前記捲り表示中の検査画像に比較し視認性が低下した状態で前記表示手段に表示する機能と、をコンピュータに実現させるための検査画像表示プログラム。
【発明の詳細な説明】
【技術分野】
【０００１】
本発明は、医療診断に用いられる検査画像を表示する検査画像表示装置、検査画像表示システム、検査画像表示方法、及びプログラムに関する。
【背景技術】
【０００２】
近年、医療分野において、画像撮影装置の進歩とともに検査画像の枚数が膨大化している。特に、マルチスライスＣＴ装置では１回転の間に複数スライスの断層画像を同時に収集するため、１回の撮影で患者から得られる検査画像の枚数がかなり多い。
【０００３】
このように大量の検査画像がある場合、モニタのスクリーン上に複数枚の検査画像を同時に並べて比較表示することで、効率よく読影することが一般的に行われている。たとえば、同一患者の連続する断層画像を並べて比較したり、同一患者の過去の検査画像と現在の検査画像を並べて比較することで病巣等の発見を行う。
【０００４】
また、マルチスライスＣＴのように大量の断層画像が得られる場合には、スクリーンの同一場所に断層画像を連続的に切り替え、順次表示することで、読影医が頭の中で３次元のモデルをイメージしながら読影を行うことも行われている。このように、同一場所に、複数の検査画像を切り替え順次表示していく方法のことを捲り表示とよぶ。
【０００５】
特許文献１には、捲り表示機能を備えた医療用画像表示装置が記載されている。この医療用診断画像表示装置は、ＣＲＴ等のスクリーンに複数、例えば４枚の断層画像が２行２列に配置されて同時に表示される。ジョイスティック型の可変調節器のキーを傾けることで、その向きによって４枚の診断画像の中から所望の１枚が指定され、そしてキーの回転量で捲り表示の速度が設定される。可変調節器の開始キーを操作すると、指定した断層画像の表示位置で捲り表示が開始され、所定の速度で断層画像が次々に切り替わって表示される。この捲り表示中には、残りの３枚の断層画像は、そのまま静止画として表示されている。
【特許文献１】特開２００２−３０１０６５号公報
【発明の開示】
【発明が解決しようとする課題】
【０００６】
しかしながら、スクリーンに複数枚の検査画像が表示された状態から捲り表示を行う場合、捲り表示中の検査画像の周囲にあるその他の検査画像も表示され続けているため、これらが目障りになり、読影医は捲り表示中の検査画像に注目することができない問題があった。特に、精細な読影が必要とされ表示の輝度を高めにしている場合や、付帯情報として検査画像にカラーでマーキングしている場合において、その他の検査画像が視界に入ると、読影の際に大きな妨げとなる。
【０００７】
また、捲り表示の途中で注目したい検査画像が見つかり捲り表示を停止した場合、その他の検査画像は捲り表示開始時のものであるため、注目したい検査画像との比較読影ができず、病巣を発見しづらいという問題があった。
【０００８】
また、断層画像の読影を行う場合、スクリーン上に初期表示される複数枚の検査画像は一端からの連続画像であり、マルチスライスＣＴのように大量の断層画像が得られるような場合、捲り表示を開始したい検査画像までコマ送りするのに時間がかかり、非効率的であった。
【０００９】
本発明は、上記課題に鑑み、複数枚の検査画像が表示された状態から捲り表示を行う場合に、読影の視界に妨げのない捲り表示を行うことを目的とする。
【００１０】
また、本発明は、捲り表示の終了後も、捲り表示前と同様な比較読影が行えるようにすることを目的とする。
【００１１】
更に、本発明は、捲り開始検査画像に迅速に到達できるようにして、読影の効率を向上させることを目的とする。
【課題を解決するための手段】
【００１２】
上記目的を達成するため、本発明の検査画像表示装置は、検査画像列からＮ枚（少なくとも２枚以上）の検査画像を取り出し、表示手段に並べて同時に表示する第１の表示制御手段と、捲り表示の実行を指示する捲り表示指示手段と、捲り表示の実行が指示されたときに、Ｎ枚の検査画像の１つを捲り開始検査画像として、これに続く検査画像を検査画像列から取り出して、表示手段に順次表示する第２の表示制御手段と、捲り表示中の検査画像の周辺を、捲り表示中の検査画像に比較し視認しにくい状態で表示手段に表示する視認性低下手段とを備えたことを特徴とする。
【００１３】
また、視認性低下手段は、周辺を捲り表示中の検査画像に比較し低輝度で表示することを特徴とする。
【００１４】
また、視認性低下手段は、周辺の少なくとも一部を覆うように、捲り表示中の検査画像を拡大表示することを特徴とする。
【００１５】
また、視認性低下手段は、周辺の少なくとも一部を覆うように、捲り表示中の検査画像を拡大表示するとともに、捲り表示中の検査画像の周辺を捲り表示中の検査画像に比較し低輝度で表示することを特徴とする。
【００１６】
また、同時に表示されるＮ枚の検査画像および捲り表示中の検査画像は、検査画像列から連続して取り出されることを特徴とする。
【００１７】
また、同時に表示されるＮ枚の検査画像は、検査画像列上で所定の間隔で取り出され、捲り表示中の検査画像は、検査画像列から連続して取り出されることを特徴とする。
【００１８】
また、第一の表示制御手段は、捲り表示が終了したときに、終了時点で表示されている検査画像を基準にして（Ｎ−１）枚の検査画像を検査画像列から取り出して表示手段に表示することを特徴とする。
【００１９】
また、捲り開始検査画像を指定する指定手段を備えたことを特徴とする。
【００２０】
また、Ｎは９であり、９枚の検査画像が３行３列に配列され、捲り表示の実行が指示されたときに、中央に位置する検査画像が捲り開始検査画像となることを特徴とする。
【００２１】
また、第一の表示制御手段は、複数の検査画像列から、それぞれＮ枚の検査画像を取り出し、検査画像列毎に別けた状態で表示手段に同時に表示することを特徴とする。
【００２２】
本発明の検査画像表示方法は、検査画像列から、Ｎ枚の検査画像を取り出し、表示手段に並べて同時に表示するステップと、捲り表示の実行が指示されたときに、Ｎ枚の検査画像の１つを捲り開始検査画像として、これに続く検査画像を検査画像列から取り出して、表示手段に順次表示するステップと、捲り表示中の検査画像の周辺を、捲り表示中の検査画像に比較し視認性が低下した状態で表示手段に表示するステップと、を備えたことを特徴とする。
【００２３】
本発明の検査画像表示システムは、検査画像列を格納したサーバと、通信網を介して接続された検査画像表示装置とからなる検査画像表示システムにおいて、検査画像表示装置は、表示手段と、サーバから取り込んだ検査画像列から、Ｎ枚の検査画像を取り出し、表示手段に並べて同時に表示する第１の表示制御手段と、捲り表示の実行を指示する捲り表示指示手段と、捲り表示の実行が指示されたときに、Ｎ枚の検査画像の１つを捲り開始検査画像として、これに続く検査画像を検査画像列から取り出して、表示手段に順次表示する第２の表示制御手段と、捲り表示中の検査画像の周辺を、捲り表示中の検査画像に比較し視認しにくい状態で表示手段に表示する視認性低下手段と、を備えたことを特徴とする。
【００２４】
本発明の検査画像表示プログラムは、画像記憶メモリに記憶された検査画像列から、Ｎ枚の検査画像を取り出し、表示手段に並べて同時に表示する機能と、操作部からの捲り表示の実行指示を受け付ける機能と、捲り表示の実行が指示されたときに、Ｎ枚の検査画像の１つを捲り開始検査画像として、これに続く検査画像を検査画像列から取り出し、表示手段に順次表示する機能と、捲り表示中の検査画像の周辺を、捲り表示中の検査画像に比較し視認性が低下した状態で表示手段に表示する機能と、をコンピュータに実現させる。
【発明の効果】
【００２５】
本発明によれば、捲り表示位置の周辺は視認性が低下されるため、捲り表示位置に視点を固定しやすく、周囲の画像が邪魔にならないため、読影効率を向上することができる。
【００２６】
さらに、捲り表示中の検査画像を大きなサイズで表示する場合は、読影がしやすく病巣の見落としを防止することができる。
【００２７】
さらに、捲り表示が終了したときに、捲り表示終了時点での検査画像を基準として（Ｎ−１）枚の検査画像を検査画像列から取り出して、捲り表示位置の周辺にある検査画像を表示更新するため、捲り表示前と同様な状態で読影を続行することができる。特に、連続してＮ枚の検査画像を取り出して表示する場合は、捲り表示後に複数枚の連続した検査画像を比較しながら読影を行うことが可能となり、使い勝手が向上する。
【００２８】
またさらに、捲り表示の前に表示されるN枚の検査画像を検査画像列から所定の間隔で取得することで、大量枚数の検査画像があった場合でも、病巣等があると医師が推定され、捲り表示を行いたい検査画像に迅速に到達するため、病巣の発見までの時間を短縮して読影作業効率を向上させることができる。
【発明を実施するための最良の形態】
【００２９】
（第一の実施形態）
図１は、本発明に係る検査画像表示装置２を含む放射線撮影システムの概略構成を示すものである。本実施形態では、放射線画像などの医療検査画像を取得するためのモダリティ１と、検査画像を取得する際にモダリティ１を制御するための撮影条件を入力し、撮影された検査画像を検定するためのコンソール３、撮影された検査画像を一定期間保存するためのサーバ４、サーバ４に保存された検査画像を表示して読影を行うための検査画像表示装置２で構成され、これらは院内ＬＡＮ５に接続されている。
【００３０】
放射線撮影システムで患者を撮影する場合には、医者または放射線技師がコンソール３を操作して、撮影時間、放射線量などの撮影条件の設定や、患者名などの患者ＩＤを入力する。モダリティ１がマルチスライスＣＴ装置の場合には、撮影された多数の検査画像がコンソール３に送られる。このコンソール３は、各検査画像にフレーム番号（ファイル番号）を付与して、ハードディスクに記録する。
【００３１】
前記ハードディスクには、１回の検査で撮影された多数の検査画像群が記録されている。この検査画像群は図２に示すように、フレーム番号に基づいて撮影順に並んだ検査画像列８を構成する。前記コンソール３で検査画像を確認してから、患者ＩＤとともに検査画像列８が、画像保存用のサーバ４に送信され、画像データベースに保存される。なお、このサーバ４には、複数の患者の検査画像列８が、患者毎、撮影日時毎等で分類され、検索可能に保存されている。
【００３２】
画像診断時には、まず診断すべき患者ＩＤを前記検査画像表示装置２に入力する。この患者ＩＤに基づいてサーバ４の画像データベースが検索され、該当する検査画像列８がサーバ４から読み出され、院内ＬＡＮ５を経由して検査画像表示装置２に取り込まれる。読影医は、検査画像列８をコマ送りしながら比較読影をしたり、特定の検査画像から捲り表示を行って病巣などの診断を行う。
【００３３】
検査画像表示装置２の概略を示す図３において、通信ＩＦ２１は、院内ＬＡＮ５に接続されており、サーバ４へ患者ＩＤを送信し、またサーバ４から検査画像列８受信する。この受信した検査画像列８は、画像メモリ２２に記憶される。
【００３４】
制御部２３はＣＰＵで構成されており、ＲＯＭ（図示せず）に格納された検査画像表示プログラムによって、１枚表示制御部２３１、４枚表示制御部２３２、視認性低下部２３３、捲り表示制御部２３４として機能する。１枚表示制御部２３１は、表示部２５のスクリーン（表示画面）２５ａ（図１参照）に、１枚の検査画像を大きなサイズで表示する。４枚表示制御部２３２は、４枚の検査画像を２行２列に配列してスクリーン２５ａに表示する。また、この４枚表示制御部２３２は、コマ送りでは４枚単位でスクロールする。
【００３５】
前記４枚単位のスクロールは、コマ送りが早いので、短時間で読影が終了したり、あるいは捲り表示が開始される検査画像（捲り開始検査画像）に短時間で到達することが可能となる。なお、４枚単位のスクロールでは、４枚単位で表示されるから、端数となる画像が、その前後検査画像と比較することができないことがあるため、４枚表示の状態で１枚ずつスクロールしてもよい。また、スクリーン２５ａに同時に表示する検査画像の枚数は、２枚、６枚等、何枚であってもよい。
【００３６】
捲り表示制御部２３４は、同時に表示された４枚の検査画像の中から、指定された位置にある検査画像を捲り開始検査画像として、検査画像列８上でこれに続く検査画像を所定の速度で順番に表示する。視認性低下部２３３は、捲り表示中に、その周囲にあって、静止している検査画像が目障りにならないように、視認性を低下する。
【００３７】
V−RAＭ２６は、１枚の検査画像、または４枚の検査画像を合成した画像を一時的に記憶する。このV−RAＭ２６に記憶された画像は、表示部２５に送られて、そのスクリーン２５ａに表示される。表示部２５としては、高輝度型のＣＲＴ、液晶ディスプレイ、プラズマディスプレイなどが用いられる。なお、複数の読影医で診断する場合には、表示部２５としてプロジェクタが用いられる。
【００３８】
操作部２４は、キーボード２４１、マウス２４２などから構成され、検査画像列８の取り込み、検査画像の表示切替え、捲り表示の実行などを指示する。なお、操作部２４としては、ジョイスティック等を用いてもよい。
【００３９】
次に、図４ないし図７を参照して第１実施形態の作用について説明する。まず、検査画像表示装置２のキーボード２４１を操作して患者ＩＤを入力する。サーバ４の画像データベースが検索され、該当検査画像列８が読み出され、院内ＬＡＮ５、通信ＩＦ２１を経由して、検査画像列８が画像メモリ２２に取り込まれる。なお、同一患者に対して、撮影日などが異なった複数の検査画像列８が存在する場合には、例えば、撮影日、患者名等を見出しとしてタイトルを表示し、その中から所望のものを操作部２４で選択する。
【００４０】
通常は４枚表示制御部２３２が作動しているから、画像メモリ２２内の検査画像列８から、フレーム番号１〜４の検査画像が読み出され、V−RAＭ２６上で合成されてから、図５に示すように表示部２５のスクリーン２５ａに、２行２列で表示される（ステップＳ１）。なお、４枚の検査画像は、左上から右下に向かって順番に配列されることが好ましいが、右上から左下に向かって順番に配列されてもよい。
【００４１】
キーボード２４１のシフトキーを操作すると、４枚単位でコマ送りが行われ、フレーム番号が５〜８の検査画像がスクリーン２５ａに表示される。４枚単位のコマ送りをしながら、比較読影をして、病巣の診断を行う。
【００４２】
４枚表示中に、ある検査画像をじっくりと観察したい場合は、キーボード２４１を操作して１枚表示を選択する。次に、ポインタ６２を合わせてからマウス２４２をクリックして、観察したい検査画像を指定する。１枚表示が選択されると、１枚表示制御部２３１が作動を開始し、指定された検査画像を４倍のサイズでスクリーン２５ａに表示する。１枚表示中に、キーボード２４１を操作して４枚表示を選択すると、４枚表示制御部２３２が作動して、元の４枚の検査画像が表示される。
【００４３】
次に捲り表示について説明する。図５では、検査画像列８上で連続したＮ１〜Ｎ４の検査画像がスクリーン２５ａに表示されている。この状態で捲り表示をする場合には、ポインタ６２を「ＣＩＮＥ」と表示された捲り表示ボタン６３に合わせてから、マウス２４２をクリックする。捲り表示制御部２３４はマウス２４２のクリックで捲り表示が選択されたと判断する（ステップＳ２）。
【００４４】
次に、捲り表示を開始したい検査画像、例えば検査画像Ｎ２にポインタ６２を合わせてから、マウス２４２をクリックする。捲り表示制御部２３４は、検査画像Ｎ２を捲り開始検査画像を判断する（ステップＳ３）。
【００４５】
捲り開始検査画像が指定されると、視認性低下部２３３が作動し、図６に示すように、その周辺にある３個の検査画像Ｎ１、Ｎ３、Ｎ４の輝度を、検査画像Ｎ２に比較し低輝度で表示させる（ステップＳ４）。この図６では、ドットを付して輝度を低下した部分を表している。これにより、周辺が目立たなくなるから、読影医は、捲り開始検査画像Ｎ２が位置する捲り位置に視点を固定することが可能となる。この輝度低下は、３つの検査画像Ｎ１、Ｎ３、Ｎ４に対して、画素信号の値を小さくしたり、３つの検査画像Ｎ１、Ｎ３、Ｎ４にグレイの画像を重ねて合成表示することで行われる。画素信号の値は最小にして黒で表示されるようにしてもよい。なお、捲り表示中の検査画像の周辺として、検査画像Ｎ１、Ｎ３、Ｎ４とともに、画面枠６１の輝度を低下させてもよい。
【００４６】
捲り開始検査画像の指定後に、ポインタ６２をスタートボタン６４に合わせてからマウス２４２をクリックすると、捲り表示制御部２３４は、図７に示すように、検査画像Ｎ２が表示されている位置を捲り位置（捲り表示領域）とし、この捲り位置上で捲り表示を開始する（ステップＳ５）。この捲り表示では、図２に示す検査画像列８上で、捲り開始検査画像Ｎ２に続く検査画像Ｎ３、Ｎ４・・・を画像メモリ２２から読み出し、所定の速度でスクリーン２５ａに順次表示する。この捲り表示中には、検査画像Ｎ１、Ｎ３、Ｎ４は輝度が低下した状態で静止している。読影医は、捲り表示中の検査画像から、３次元の画像をイメージしながら、病巣の有無や位置を診断する。
【００４７】
捲り表示を終了する場合は、ポインタ６２をストップボタン６５に合わせてからマウス２４２をクリックする（ステップＳ６）。ストップボタン６５がクリックされると、捲り表示制御部２３４が作動を停止し、代わりに４枚表示制御部２３２が作動する。なお、ストップボタン６５が操作されなかった場合は、検査画像列８の端にある検査画像に到達したときに表示は自動的に停止する。
【００４８】
図７に示すように、検査画像Ｎ２０が表示された時点で捲り表示の終了が指示された場合は、４枚表示制御部２３２は、検査画像Ｎ２０の前後に続く３枚の検査画像Ｎ１９、Ｎ２１、Ｎ２２を画像メモリ２２から取り出す。そして、静止していた検査画像Ｎ１、Ｎ３、Ｎ４に代えて、検査画像Ｎ１９、Ｎ２１、Ｎ２２を検査画像Ｎ２０と合成し、４枚の検査画像Ｎ１９〜Ｎ２２を所定の明るい状態でスクリーン２５ａに表示する（ステップＳ７）。これにより、４枚表示に戻るから、前述した手順でコマ送りしながら比較読影を続行することができる。
【００４９】
（第２実施形態）
図８および図９は、捲り表示領域を拡大して表示する第２実施形態を示すものである。この実施形態では、視認性低下部２３３は、捲り表示領域を拡大し、捲り表示中の検査画像を大きなサイズで表示する（ステップＳ１４）。これにより、周辺に存在する検査画像Ｎ１、Ｎ３、Ｎ４の一部が覆われるから、その視認性を低下させることができる。なお、図８のステップＳ１１〜Ｓ１３、Ｓ１５〜Ｓ１８は、図４に示すステップＳ１〜Ｓ７と実質的に同じであるため、符号のみを付して説明は省略する。
【００５０】
周辺の一部が覆うように、捲り表示領域を拡大するだけでも、周辺の視認性の低下には効果があるが、この実施形態では図９においてドットで表したように、周辺の輝度を低下させて、一層目立たなくしている。なお、画面枠６１の一部も覆うように検査画像Ｎ２を拡大してもよいし、検査画像Ｎ１、Ｎ３、Ｎ４の全部を覆うように、検査画像Ｎ２を拡大してもよい。
【００５１】
（第３実施形態）
図１０に示す第３実施形態では、連続した９枚の検査画像が３行３列に配置されてスクリーン２５ａに表示され、その中央にある検査画像が捲り開始検査画像となるように定めてある。この場合には、図３に示す制御部２３に、９枚表示制御部が設けられる。
【００５２】
この実施形態では、捲り表示ボタンをマウス２４２でクリックすると、中央に位置する検査画像Ｎ５が拡大され、そして周辺の輝度が低下されてから、捲り表示が実行される。捲り表示を終了する場合には、ストップボタン６５をクリックする。
【００５３】
スクリーン２５ａには、９枚の検査画像が表示されるため、各検査画像のサイズが小さいが、捲り表示中は拡大されるから、観察がし易くなる。なお、捲り表示中の検査画像は拡大されるから、周辺の輝度を低下させなくとも、ある程度の視認性を確保することができる。
【００５４】
（第４実施形態）
前記各実施形態では、４枚表示中には、連続する４枚の検査画像がスクリーン２５ａに表示されている。この場合には、フレーム番号が「１」の検査画像から順に表示されるため、病巣が存在していると予測され、捲り表示をした部位の検査画像に到達するまでに時間がかかる。そこで、この実施形態では、図１１に示すように、ｎ枚の間隔で、Ｎ（ｉ）、Ｎ（ｉ＋ｎ）、Ｎ（ｉ＋２ｎ）、Ｎ（ｉ＋３ｎ）の検査画像を検査画像列８から抽出し、得られた４枚の検査画像を並べてスクリーン２５ａに表示する。
【００５５】
この４枚表示中には、４枚単位でコマ送りされ、例えばＮ（ｉ＋４ｎ）、Ｎ（ｉ＋５ｎ）、Ｎ（ｉ＋６ｎ）、Ｎ（ｉ＋７ｎ）の４枚の検査画像が表示される。これにより、コマ送りを迅速に行うことができる。
【００５６】
この４枚表示中に、第１実施形態と同様に、捲り開始検査画像を指定して捲り表示を実行することができる。例えば、図６と同様に、スクリーン２５ａの右上に表示されているＮ（ｉ＋５ｎ）を捲り開始検査画像と指定したときには、これに連続したＮ（ｉ＋５ｎ＋１）、Ｎ（ｉ＋５ｎ＋２）、Ｎ（ｉ＋５ｎ＋３）・・・・が所定速度で順次表示される。この場合、周辺に位置する検査画像Ｎ（ｉ＋４ｎ）、Ｎ（ｉ＋６ｎ）、Ｎ（ｉ＋７ｎ）は、輝度が下げられて静止している。
【００５７】
例えば、Ｎ（ｉ＋５ｎ＋ｋ）の検査画像が表示された時点で捲り表示を停止させると、Ｎ（ｉ＋５ｎ＋ｋ）を基準とし、Ｎ（ｉ＋４ｎ＋ｋ）、Ｎ（ｉ＋６ｎ＋ｋ）、Ｎ（ｉ＋７ｎ＋ｋ）の検査画像が検査画像列８から取り出され、Ｎ（ｉ＋５ｎ＋ｋ）とともに４枚の検査画像として表示される。
【００５８】
捲り表示後は、連続した４枚の検査画像を比較読影する方が便利なこともある。そこで、捲り表示終了検査画像をＮ（ｉ＋５ｎ＋ｋ）としたときに、Ｎ（ｉ＋５ｎ＋ｋ−１）、Ｎ（ｉ＋５ｎ＋ｋ＋１）、Ｎ（ｉ＋５ｎ＋ｋ＋２）の検査画像を取り出し、連続する４枚の検査画像を表示してもよい。
【００５９】
（第５実施形態）
複数の検査画像列から検査画像をそれぞれ取り出して並べて表示し、これらを比較読影することで診断が容易になることがある。図１２に示すように、撮影日が異なった同一患者の２種類の検査画像列３０、３１から、連続する２枚の検査画像をそれぞれ取り出し、スクリーン２５ａに表示する。図１３では、検査画像列３０から取り出した２枚の検査画像Ｎ１、Ｎ２が縦方向に並んで表示され、検査画像列３１から取り出した２枚の検査画像Ｍ１、Ｍ２が、その横で縦方向に並んで表示されている。なお、同じ検査画像列の２枚の検査画像を横方向に配列してもよい。
【００６０】
この実施形態では、捲り位置が第一行目に指定されているから、捲り表示ボタン６３にポインタを合わせてから、マウス２４２をクリックすると、検査画像Ｎ１とＭ１の２つの位置で捲り表示が開始される。この捲り表示中は、第２行目の検査画像Ｎ２、Ｍ２は輝度が低下した状態で静止している。
【００６１】
この捲り表示では、２つの検査画像列３０、３１から、連続する検査画像がそれぞれ１枚ずつ取り出され、所定の速度で表示される。なお、ストップボタン６５をクリックすると、２つの検査画像列３０、３１の捲り表示が同時に停止する。捲り表示の終了後は、第１行の検査画像に続く、次の検査画像が各検査画像列３０、３１から取り出され、所定の明るい検査画像として第２行に表示される。
【００６２】
２種類の検査画像列３０、３１としては、健康な人の検査画像列３０と、読影を必要とする患者の検査画像列３１であってもよい。更に、各検査画像列３０、３１から２枚を取り出しているが、１枚、３枚、４枚等、任意の枚数であってもよい。
【００６３】
前述した各実施形態では、捲り表示時は、捲りの方向が順方向（フレーム番号が増加する方向）であるが、捲り開始検査画像に続く逆方向（フレーム番号が減少する方向）もできるように、捲り方向を指定するボタンをスクリーン２５ａに表示してもよい。
【００６４】
更に、スタートボタン６４を省略し、代わりに捲り開始検査画像をマウス２４２でダブルクリックした時に、捲り表示が実行されるようにしてもよいし、捲り表示ボタン６３を省略し、スタートボタン６４の押下とともに捲り表示が実行されるようにしてもよい。また、操作部２４によって捲り速度を任意に設定可能としてもよい。更に、捲り表示は、所定の枚数だけ行われたときに、自動的に停止する構成でもよい。
【００６５】
また、マウス２４２のホイールの回転が開始されたときに、捲り表示の実行を開始するとともに、その回転方向で捲り方向（順方向、逆方向）を指定してもよいし、回転速度から捲り表示速度を定めてもよい。この場合に、ホイールの回転を停止したときに、捲り表示が停止する。また、この場合、マウス２４２のポインタがあたっている検査画像を捲り開始検査画像としてもよい。
【００６６】
また、マウス２４２を１回クリックする毎に、又はキーを１回押すごとに、１枚ずつ検査画像を捲り表示してもよい。
【００６７】
検査画像表示装置２は、検査画像列８をサーバ４から取り込んで、画像メモリ２２に格納している。この代わりに、スクリーン２５ａに表示すべき検査画像を指定してサーバ４内の検査画像列８からその都度取り出してもよい。こうすると、画像メモリ２２の容量が小さくて済む。
【００６８】
また、検査画像は、医療における検査画像だけではなく、機器製品、材料等を非破壊で内部検査するための産業用途において撮影された画像であってもよい。この場合、検査画像列として、機器製品、材料毎の断層画像を捲り表示で検査し、異常個所を判断する。
【図面の簡単な説明】
【００６９】
【図１】放射線撮影システムの構成図である。
【図２】放射線撮影システムで撮影された検査画像列を示す説明図である。
【図３】本発明の検査画像表示装置の一例を示すブロック図である。
【図４】本発明の第１実施形態における検査画像の表示手順を示すフローチャートである。
【図５】捲り表示前の表示状態を示す図である。
【図６】捲り表示中の表示状態を示す図である。
【図７】捲り表示を示す説明図である。
【図８】本発明の第２実施形態における検査画像の表示手順を示すフローチャートである。
【図９】本発明の第２実施形態における捲り表示中の表示状態を示す図である。
【図１０】本発明の第３実施形態における捲り表示中の表示状態を示す図である。
【図１１】本発明の第４実施形態における検査画像の取り出しを示す説明図である。
【図１２】本発明の第５実施形態に用いられる２種類の検査画像列を示す説明図である。
【図１３】本発明の第５実施形態における捲り表示中の表示状態を示す図である。
【符号の説明】
【００７０】
２  検査画像表示装置
２５ａ  スクリーン
６２  ポインタ
６３  捲り表示ボタン
６４  スタートボタン
６５  ストップボタン
【図１】
2010131224.tif 000003
【図２】
2010131224.tif 000004
【図３】
2010131224.tif 000005
【図４】
2010131224.tif 000006
【図５】
2010131224.tif 000007
【図６】
2010131224.tif 000008
【図７】
2010131224.tif 000009
【図８】
2010131224.tif 000010
【図９】
2010131224.tif 000011
【図１０】
2010131224.tif 000012
【図１１】
2010131224.tif 000013
【図１２】
2010131224.tif 000014
【図１３】
2010131224.tif 000015